(57)【特許請求の範囲】
【請求項１】
コンバイン（１）の脱穀部から排出される排稈を稈身方向に所定間隔で配設した切断刃（２）と受刃（３）の間で短く切断するディスクカッター（４）において、受刃（３）の株元側に接近して切断刃（２）を配設する場合には各受刃（３）の間隔を規制するカラー（５）を基準寸法に対してマイナス公差で製作し各切断刃（２）の間隔を規制するカラー（６）を基準寸法に対してプラス公差で製作し、受刃（３）の穂先側に接近して切断刃（２）を配設する場合には受刃（３）側のカラー（５）を基準寸法に対してプラス公差で製作し切断刃（２）側の間隔を規制するカラー（６）を基準寸法に対してマイナス公差で製作して、各切断刃（２）と受刃（３）の間隔が穂先側で株元側よりも狭くなるようにしたことを特徴とするコンバイン用ディスクカッター。
【発明の詳細な説明】
【０００１】
【発明の属する技術分野】
本発明は、稲や麦などを刈り取って脱穀するコンバインにおいて、脱穀済の排稈を短く切断するディスクカッターに関する。
【０００２】
【従来の技術】
ディスクカッターは、コンバインの脱穀部から横倒し状態で排出される排稈を稈身方向に沿って所定間隔で配設した切断刃と受刃との間で切断する構成で、広く利用されている。受刃としては外周に突起を形成した掻き込み作用のある円盤や、切断刃と同様の受刃と掻き込み盤を組み合わせたもの等がある。
このディスクカッターは、高速回転する切断回転軸に切断刃をカラーを介して所定間隔で配設し、低速回転する掻き込み回転軸に受刃をカラーを介して前記切断刃に対向接近させて配設してディスクカッターの切断部を構成する。切断刃と受刃とはなるべく接近させて配設した方が切断性能が良くなるが、切断円盤刃や受刃及びカラーの製作精度に限界が有るため、ディスクカッターを組み立てた場合に切断刃と受刃とが当接しないように、製作寸法に余裕をとって切断刃と受刃との間隔が広くなるような寸法で各部品を製作している。このため、排稈の穂先側を切断する切断刃と受刃の間隔が広く、柔軟な排稈穂先側が折れ曲がって切断され難い場合がある。
【０００３】
【発明が解決しようとする課題】
本発明では、排稈の穂先側が株元側に対して柔軟で曲り易いために、特に穂先切断位置で切断刃と受刃との間隔を狭くする必要が有ることに着目して、ディスクカッターの切断性能を良好にすることを課題とする。
【０００４】
【課題を解決するための手段】
コンバイン１の脱穀部から排出される排稈を稈身方向に所定間隔で配設した切断刃２と受刃３の間で短く切断するディスクカッター４において、受刃３の株元側に接近して切断刃２を配設する場合には各受刃３の間隔を規制するカラー５を基準寸法に対してマイナス公差を製作し各切断刃２の間隔を規制するカラー６を基準寸法に対してプラス公差で製作し、受刃３の穂先側に接近して切断刃２を配設する場合には受刃３側のカラー５を基準寸法に対してプラス公差で製作し切断刃２側の間隔を規制するカラー６を基準寸法に対してマイナス公差で製作して、各切断刃２と受刃３の間隔が穂先側で株元側よりも狭くなるようにした。
【０００５】
【発明の作用及び効果】
切断刃２は高速回転する切断回転軸に株元基準でカラー６によって所定間隔毎に配設し、受刃３は低速回転する掻き込み回転軸に株元基準でカラー５によって切断刃２と接近して側面視で交差状態に配設されるのであるが、受刃３の株元側に接近して切断刃２を配設する場合には、各受刃３の間隔を規制するカラー５を基準寸法に対してマイナス公差で製作することで、各受刃３の間隔が短めとなり切断刃２の間隔を規制するカラー６を基準寸法に対してプラス公差で製作することで各切断刃２の間隔が広くなり、受刃３と切断刃２の間隔が株元側では広くても穂先側で狭くなって、排稈の柔軟な穂先側を良好に切断するようになる。
また、受刃３の穂先側に接近して切断刃２を配設する場合には、カラー５，６を前記と逆の公差で製作することで、切断刃２と受刃３の間隔が穂先側で狭くなり、排稈が良好に切断される。
【０００６】
【実施例】
本発明のディスクカッター４は、図２に示す如く、コンバイン１の機体後部に装着している。
コンバイン機体１０の上部には、穀稈を挾持して穂先を脱穀部で脱穀しながら後方へ送るフィードチェン１１と脱穀済の排稈をさらに後方へ送る排稈チェン１２とを設けて、脱穀済の排稈をカッター機枠１３上へ送り出す。
コンバイン機体１０内部の排塵ファン１４からは、脱穀時の藁屑や塵埃がカッター機枠１３内へ排出される。
【０００７】
カッター機枠１３は横長のボックス形状で、上部に高速回転する切断回転軸１５と低速回転する掻き込み回転軸１６とを横架軸支し、それぞれに切断刃２と受刃３とを所定間隔で配設して切断部を構成している。
切断部の詳細構成は、図１に示すとおりで、切断回転軸１５には円盤状の切断刃２を嵌合してこの切断刃２を挟み込むようにカラー受座１７を嵌合し、カラー６で各切断刃２の間隔を規制している。カラー受座１７で位置決めした大径のルーズカラー１８は、カラー６よりも短くてフリーで回転可するようにしていて、切断排稈等が巻き付くのを防いでいる。
この切断回転軸１５の機枠１３から突出した軸端にギヤ１９とプーリ２０とを固着して、コンバイン機体１０側からベルト２１でプーリ２０に回転力を伝動するようにしている。
【０００８】
掻き込み回転軸１６には、円盤状の受刃３を嵌合し、この受刃３を掻き込むようにカラー受座２２と掻き込み盤２３，２４を嵌合し、カラー５で各受刃３の間隔を規制している。カラー受座２と掻き込み盤２３，２４の間には大径のルーズカラー２５をフリーで回転するように介在させている。
この掻き込み回転軸１６の機枠１３から突出した部分にはギヤ２６を固着し、前記切断回転軸１５のギヤ１９と噛み合わせて切断回転軸１５よりも低速で回転するようにしている。
この実施例では、切断刃２を受刃３の株元側に接近して位置しているので、切断刃２の位置を決めるカラー６の寸法を所定寸法Ａに対して例えば０．０〜＋０．２mm程度のプラス公差で製作するようにし、受刃３の位置を決めるカラーの寸法を所定寸法Ｂに対して例えば０．０〜−０．２mm程度のマイナス公差で製作するようにする。このようにすると、実際の製作寸法は公差の中間程度となるため、株元側から位置決めされる切断刃２と受刃３とは、株元側で間隔が広く穂先側で狭く組み立てられることになる。
尚、切断刃２を受刃３の穂先側に接近して設けるときは、カラー５，６の製作公差を前記と逆にすればよい。
【０００９】
カッター機枠１３の上部供給口２７にはこの供給口２７を開閉する切換板２８を設け、カッター機枠１３の下部には、切断藁を拡散する拡散軸２９を設け、この後部内膣に拡散ガイド板３０を設けている。拡散ガイド板３０はレバー３１で拡散方向を変更できるようにしている。
排稈チェン１２から供給口２７を通ってカッター機枠１３内へ横倒し状態で排出される排稈は、各切断刃２と受刃３の間で株元から穂先まで略同時に切断され、切断排稈が拡散軸２９上に落下し、後方へ跳ね出されながらガイド板３０で広く拡散して圃場へ排出される。
【図面の簡単な説明】
【図１】本発明実施例の一部拡大平面図である。
【図２】本発明実施例の側断面図である。
【符号の説明】
１  コンバイン
２  切断刃
３  受刃
４  ディスクカッター
５  カラー（受刃用）
６  カラー（切断刃用）
【図１】
0003734054.tif 000002
【図２】
0003734054.tif 000003